(57)【要約】【課題】孔が開設されている部材の前記孔に嵌入することにより取付けることができるとともに、位置ずれを防ぐことができる緩衝具、該緩衝具により音鳴りを低減することができる光源装置及びこれを備える表示装置を提供する。【解決手段】離隔して対向する二つの部材の一方に開設されている孔１１に嵌入されるべき取付部２１及び該取付部２１に連なり、筒形をなす保持部２２を有する保持体２と、保持部２２の内部に嵌合により保持された緩衝体３とを備え、前記孔１１に取付部２１を嵌入することにより、緩衝具Ａを位置ずれなく取付けることができ、経年劣化による位置ずれをなくすることができ、長期間に亘って振動を抑制でき、振動による音鳴りをなくすることができるようにした。【選択図】図３
2011241973.tif 000002
【特許請求の範囲】
【請求項１】
孔への嵌入により取付けられる緩衝具であって、前記孔に嵌入されるべき取付部及び該取付部に連なる保持部を有する保持体と、前記保持部に嵌合により保持された緩衝体とを備えることを特徴とする緩衝具。
【請求項２】
前記保持部は筒形をなしている請求項１記載の緩衝具。
【請求項３】
前記保持部は柱形をなし、前記緩衝体は前記保持部が嵌入されている嵌入孔を有する請求項１記載の緩衝具。
【請求項４】
前記保持部は、前記取付部が前記孔に嵌入される方向と交差する方向へ離隔して対向する二つの保持片及び各保持片を前記取付部に連結する連結部を有する請求項１記載の緩衝具。
【請求項５】
前記保持部は、前記取付部が嵌入される嵌入方向と交差する方向の中心軸を有する筒形をなし、前記緩衝体は前記保持部内に嵌合されている嵌合軸部及び該嵌合軸部の少なくとも一端から前記保持部の外側面より外方へ延出されている可撓部を有する請求項１記載の緩衝具。
【請求項６】
前記保持部は、周方向の一箇所に他の部分より薄肉のヒンジを有し、該ヒンジから周方向へ離隔した箇所で分断され、前記ヒンジを支点として揺動可能な可動部が形成されており、該可動部の揺動を防止する揺動止部を有する請求項５記載の緩衝具。
【請求項７】
前記保持部及び緩衝体の少なくとも一方は、前記緩衝体が抜出方向へ位置ずれするのを防止する抜止部を有する請求項１から６のいずれか一つに記載の緩衝具。
【請求項８】
前記保持部は、周方向の一部が欠除され、該欠除されている部分の縁に、前記嵌合軸部に係合して該嵌合軸部が前記嵌入方向と逆方向に位置ずれするのを防止する抜止部を有する請求項５記載の緩衝具。
【請求項９】
前記保持体は、前記取付部及び保持部の間に、前記取付部が嵌入される嵌入方向と交差する方向へ延出され、前記取付部の嵌入位置を規制する規制片を有する請求項１から８のいずれか一つに記載の緩衝具。
【請求項１０】
前記規制片は可撓性を有し、先端部が前記取付部側へ偏倚している請求項９記載の緩衝具。
【請求項１１】
前記取付部は、前記保持部が連なる基部及び該基部の先端から前記保持部側へ延出され、前記孔の縁部に係止されるべき爪部を有し、該爪部から前記保持部の外面と対向する位置に延出され、摘み操作により前記爪部を偏倚させるための被摘み部を備える請求項１から８のいずれか一つに記載の緩衝具。
【請求項１２】
前記緩衝体は、前記嵌入孔の縁部が前記取付部側へ偏倚している請求項３記載の緩衝具。
【請求項１３】
板状をなし、一面で光源を支持している支持体と、該支持体の他面側を隠蔽するカバーと、該カバー及び前記支持体の間に配され、前記カバー及び支持体の一方に装着され、前記光源に給電する回路基板と、前記カバー及び支持体の他方又は前記回路基板に開設されている前記孔に前記取付部が嵌入されている請求項１から１２のいずれか一つに記載の緩衝具とを備えることを特徴とする光源装置。
【請求項１４】
一側に表示面を有する表示部と、該表示部の他側に配された請求項１３記載の光源装置とを備えることを特徴とする表示装置。
【発明の詳細な説明】
【技術分野】
【０００１】
本発明は孔への嵌入により取付けられる緩衝具、電源回路基板等の機器が発生する振動を抑制し、振動による音鳴りを緩衝具によりなくすることができる光源装置、及びこれを備える表示装置に関する。
【背景技術】
【０００２】
テレビジョン等の表示装置は、前側に表示面を有し直方体をなす表示パネルと、該表示パネルに光を照射する光源と、該光源及び前記表示パネルの周縁部を後側で支持する支持体と、該支持体の後側に装着される電源回路基板等の複数の回路基板と、該回路基板及び前記支持体の後側を隠蔽するカバーとを備え、該カバーの周縁部が前記支持体に雄螺子にて締結されている。
【０００３】
近年の表示装置は薄型化の一途をたどっており、前記回路基板と前記カバーとの間の離隔寸法が短くなっている。これに伴い、電源回路基板に実装されているトランスが作動した際に発生する音等により回路基板が振動し、この振動による音が聴き取り可能な音量となり、耳ざわりな音になる。また、表示装置の薄型化に伴って前記カバーは、合成樹脂製から薄肉の金属板製に変更される傾向にあるが、薄肉金属板製のカバーでは、前記トランスの影響により前記カバーに渦電流が発生し、磁束の影響でカバーがゆすられ、音鳴りすることになる。
【０００４】
トランス等の部品が実装されている回路基板の振動を抑制するには、内部に回路基板が装着されているケースの内面と、回路基板に実装されている部品との間に、該部品に接触する面に複数の切れ目を有する板状の緩衝材が介在されている（例えば、特許文献１参照）。
【先行技術文献】
【特許文献】
【０００５】
【特許文献１】実開昭５８−２９８８８号公報
【発明の概要】
【発明が解決しようとする課題】
【０００６】
ところが、特許文献１のようにケースの内面と、回路基板に実装されている部品との間に緩衝材が介在されているだけでは、緩衝材の位置が安定せず、適正位置から位置ずれして緩衝機能を損なうことがある。
【０００７】
緩衝材の位置ずれを防ぐには、該緩衝材を接着剤にて貼付けることが考えられる。しかし、接着剤による貼付けでは、接着剤の経年劣化により貼付力が低下し、貼付け状態を維持することができなくなり、緩衝材が位置ずれ、落下することになるし、また、緩衝材の貼付け作業時に、緩衝材の貼付け位置がずれ易く、貼付け位置のバラツキが多くなり易いという問題がある。
【０００８】
本発明は斯かる事情に鑑みてなされたものであり、主たる目的は孔が開設されている部材の前記孔に嵌入することにより取付けることができるとともに、取付位置のずれを防ぐことができる緩衝具、及び該緩衝具により音鳴りをなくすることができる光源装置及びこれを備える表示装置を提供することにある。また、他の目的は保持部に嵌合により保持される緩衝体が抜出方向へ位置ずれするのを防ぐことができる緩衝具、光源装置及び表示装置を提供することにある。
【課題を解決するための手段】
【０００９】
本発明に係る緩衝具は、孔への嵌入により取付けられる緩衝具であって、前記孔に嵌入されるべき取付部及び該取付部に連なる保持部を有する保持体と、前記保持部に嵌合により保持された緩衝体とを備えることを特徴とする。
【００１０】
この発明にあっては、孔が開設されている部材の前記孔に取付部を嵌合することにより、緩衝具を位置ずれなく取付けることができ、しかも、経年劣化による緩衝具の位置ずれをなくすることができるため、前記孔が開設されている一の部材と対向する他の部材に前記緩衝体が接触することにより、二つの部材の相対的な振動を長期間に亘って抑制でき、振動による音鳴りをなくすることができる。また、離隔して対向する２部材間の間隔を維持するスペーサとして使用することができ、また、スペーサに対応した比較的小形に形成することができるため、比較的安価に得ることができる。
【００１１】
また、本発明に係る緩衝具は、前記保持部は筒形をなしている構成とするのが好ましい。
この発明にあっては、筒形をなす保持部内に緩衝体を嵌入することにより該緩衝体を保持することができるため、弾性率、長さ等により種類が異なる緩衝体のいずれかを、共用の保持体に嵌入保持することにより、複数種類の緩衝具を簡易に得ることができ、コストを低減できる。
【００１２】
また、本発明に係る緩衝具は、前記保持部は柱形をなし、前記緩衝体は前記保持部が嵌入されている嵌入孔を有する構成とするのが好ましい。
この発明にあっては、柱形をなす保持部を緩衝体の嵌入孔に嵌入することにより該緩衝体を保持することができるため、弾性率、長さ等により種類が異なる緩衝体のいずれかを、共用の保持体に嵌入保持することにより、複数種類の緩衝具を簡易に得ることができ、コストを低減できる。
【００１３】
また、本発明に係る緩衝具は、前記保持部は、前記取付部が前記孔に嵌入される方向と交差する方向へ離隔して対向する二つの保持片及び各保持片を前記取付部に連結する連結部を有する構成とするのが好ましい。
この発明にあっては、離隔して対向する保持片間に緩衝体を嵌入することにより該緩衝体を保持することができるため、弾性率、長さ等により種類が異なる緩衝体のいずれかを、共用の保持体に嵌入保持することにより、複数種類の緩衝具を簡易に得ることができ、また、緩衝体に孔加工等を施す必要がなく、コストを低減できる。
【００１４】
また、本発明に係る緩衝具は、前記保持部は、前記取付部が嵌入される嵌入方向と交差する方向の中心軸を有する筒形をなし、前記緩衝体は前記保持部内に嵌合されている嵌合軸部及び該嵌合軸部の少なくとも一端から前記保持部の外側面より外方へ延出されている可撓部を有する構成とするのが好ましい。
この発明にあっては、嵌合量のバラツキに影響されることなく前記嵌入方向の長さ、換言すると緩衝方向の長さを複数の緩衝具間で等しくすることが可能であるため、緩衝方向の長さが等しい複数の緩衝具を簡易に作ることができ、また、抜出方向への位置ずれに影響されることなく緩衝方向の長さを保つことができ、適正な緩衝機能を保つことができる。
【００１５】
また、本発明に係る緩衝具は、前記保持部は、周方向の一箇所に他の部分より薄肉のヒンジを有し、該ヒンジから周方向へ離隔した箇所で分断され、前記ヒンジを支点として揺動可能な可動部が形成されており、該可動部の揺動を防止する揺動止部を有する構成とするのが好ましい。
この発明にあっては、取付部が嵌入される嵌入方向と交差する方向の中心軸を有する筒形の保持部に、緩衝体の嵌合軸部を嵌合する際、揺動止部による可動部の揺動防止を解除することにより、保持部の周方向の一部を開放することができるため、緩衝体の嵌合軸部を簡易に嵌合することができ、また、揺動止部にて可動部の揺動を防止することができるため、緩衝体が緩衝方向へ位置ずれするのを防止することができる。
【００１６】
また、本発明に係る緩衝具は、前記保持部及び緩衝体の少なくとも一方は、前記緩衝体が抜出方向へ位置ずれするのを防止する抜止部を有する構成とするのが好ましい。
この発明にあっては、保持部に嵌合されている緩衝体が抜出方向へ位置ずれするのを抜止部にて防ぐことができ、緩衝体の嵌合状態を維持することができるため、緩衝具の輸送時、緩衝具が装着された適宜機器の組立て工程時、適宜機器の組立て後に緩衝体が抜出方向へ位置ずれすることがなく、適正な緩衝機能を保つことができる。従って、適宜機器が多量に生産される場合であっても、適正な緩衝機能を有する緩衝具を組み込むことができ、組立て作業性を高めることができるし、また、組み込まれた緩衝具を改める作業が必要でなく、適宜機器の量産作業性を向上することができる。
【００１７】
また、本発明に係る緩衝具は、前記保持部は、周方向の一部が欠除され、該欠除されている部分の縁に、前記嵌合軸部に係合して該嵌合軸部が前記嵌入方向と逆方向に位置ずれするのを防止する抜止部を有する構成とするのが好ましい。
この発明にあっては、周方向の一部が欠除されている欠除箇所から保持部内に嵌合軸部を嵌入することにより、該嵌合軸部に抜止部が係合するため、より一層簡易な操作で緩衝体を保持することができ、また、抜止部を離隔方向へ操作することにより、抜止部の係止を解除することができるため、緩衝体の取外しを簡易にできる。
【００１８】
また、本発明に係る緩衝具は、前記保持体は、前記取付部及び保持部の間に、前記取付部が嵌入される嵌入方向と交差する方向へ延出され、前記取付部の嵌入位置を規制する規制片を有する構成とするのが好ましい。
この発明にあっては、孔が開設されている部材の前記孔に取付部が嵌入されるとき、孔の縁部に規制片が当たり、取付部の嵌入位置を規制することができるため、取付部が嵌入不足になることなく緩衝具を迅速に取付けることができ、取付作業性を高めることができる。
【００１９】
また、本発明に係る緩衝具は、前記規制片は可撓性を有し、先端部が前記取付部側へ偏倚している構成とするのが好ましい。
この発明にあっては、孔が開設されている部材の前記孔に取付部が嵌入されるとき、孔の縁部に規制片が当たり、規制片が緩衝体側へ撓み、孔が開設されている部材の前記孔周りに規制片が押付けられるため、緩衝具のガタ付きをなくすることができる。
【００２０】
また、本発明に係る緩衝具は、前記取付部は、前記保持部が連なる基部及び該基部の先端から前記保持部側へ延出され、前記孔の縁部に係止されるべき爪部を有し、該爪部から前記保持部の外面と対向する位置に延出され、摘み操作により前記爪部を偏倚させるための被摘み部を備える構成とするのが好ましい。
この発明にあっては、孔が開設されている部材の前記孔に取付部が嵌入され、爪部が前記孔の縁部に係止されている状態で、被摘み部を摘むことにより、前記孔の縁部との係合が外れる方向へ爪部が偏倚するため、取付部を前記孔から簡易に抜出すことができ、緩衝具の取外しを簡易に行うことができる。
【００２１】
また、本発明に係る緩衝具は、前記緩衝体は、前記嵌入孔の縁部が前記取付部側へ偏倚している構成とするのが好ましい。
この発明にあっては、孔が開設されている部材の前記孔に取付部が嵌入されるとき、孔の縁部に緩衝体の嵌入孔の縁部が当たり、緩衝体の嵌入孔の縁部が保持部側へ撓み、孔が開設されている部材の前記孔の縁部に緩衝体が押付けられるため、孔が開設されている部材との密着度を高めることができ、振動抑制効果を高めることができる。
【００２２】
また、本発明に係る光源装置は、板状をなし、一面で光源を支持している支持体と、該支持体の他面側を隠蔽するカバーと、該カバー及び前記支持体の間に配され、前記カバー及び支持体の一方に装着され、前記光源に給電する回路基板と、前記カバー及び支持体の他方又は前記回路基板に開設されている前記孔に前記取付部が嵌入されている前述した発明の緩衝具とを備えることを特徴とする。
この発明にあっては、回路基板と、該回路基板が装着されていないカバー又は支持体との一方に孔が開設されることにより、該孔に取付部を嵌入するだけの作業により緩衝具を位置ずれなく取付けることができ、しかも、経年劣化による位置ずれをなくすることができ、回路基板及びカバーの相対的な振動を長期間に亘って抑制でき、振動による音鳴りをなくすることができる。
【００２３】
また、本発明に係る表示装置は、一側に表示面を有する表示部と、該表示部の他側に配された前述した発明の光源装置とを備えることを特徴とする。
この発明にあっては、光源装置が備える緩衝具が孔への嵌入により取付けられているため、経年劣化による緩衝具の位置ずれがなく、回路基板装着部分の振動を長期間に亘って抑制でき、振動による音鳴りを長期間に亘ってなくすることができる。
【発明の効果】
【００２４】
本発明によれば孔が開設されている部材の前記孔に取付部を嵌入することにより、緩衝具を位置ずれなく取付けることができ、しかも、経年劣化による緩衝具の位置ずれをなくすることができる。よって、前記孔が開設されている一の部材と対向する他の部材に前記緩衝体が接触することにより、二つの部材の相対的な振動を長期間に亘って抑制でき、振動による音鳴りをなくすることができるとともに、離隔して対向する２部材間の間隔を維持するスペーサとして使用することができる。
また、本発明によれば取付部が嵌入される嵌入方向と交差する方向の中心軸を有する筒形の保持部内に緩衝体が嵌合されているため、緩衝体の嵌合量のバラツキに影響されることなく緩衝方向の長さが等しい複数の緩衝具を簡易に作ることができ、また、抜出方向への位置ずれに影響されることなく緩衝方向の長さを保つことができ、適正な緩衝機能を保つことができる。
【図面の簡単な説明】
【００２５】
【図１】本発明に係る緩衝具の構成を示す正面図である。
【図２】本発明に係る緩衝具の構成を示す斜視図である。
【図３】本発明に係る緩衝具の使用状態を示す断面図である。
【図４】本発明に係る表示装置の構成を示す横断平面図である。
【図５】本発明に係る緩衝具の他の構成を示す正面図である。
【図６】本発明に係る緩衝具の使用状態を示す断面図である。
【図７】本発明に係る緩衝具の他の構成を示す正面図である。
【図８】本発明に係る緩衝具の使用状態を示す断面図である。
【図９】本発明に係る緩衝具の他の構成を示す正面図である。
【図１０】本発明に係る緩衝具の使用状態を示す断面図である。
【図１１】本発明に係る緩衝具の保持体の他の構成を示す縦断正面図である。
【図１２】本発明に係る緩衝具の保持体の他の構成を示す側面図である。
【図１３】本発明に係る緩衝具の緩衝体の他の構成を示す斜視図である。
【図１４】本発明に係る緩衝具の他の構成を示す側面図である。
【図１５】本発明に係る緩衝具の使用状態を示す断面図である。
【図１６】本発明に係る緩衝具の他の構成を示す縦断正面図である。
【図１７】本発明に係る緩衝具の他の構成を示す縦断正面図である。
【発明を実施するための形態】
【００２６】
以下本発明をその実施の形態を示す図面に基づいて詳述する。
実施の形態１
図１は本発明に係る緩衝具の構成を示す正面図、図２は緩衝具の構成を示す斜視図、図３は緩衝具の使用状態を示す断面図である。
【００２７】
図示した緩衝具Ａは、離隔して対向する二つの部材の一方に、厚さ方向へ貫通する孔１１が開設されている回路基板１が装着され、該回路基板１の孔１１に取付けられるものであり、柱形をなし、孔１１に嵌入係止される取付部２１を一端側に有し、他端側に有底の嵌入孔２２ａが開設されている保持部２２を有する保持体２と、柱形をなし、一端側が嵌入孔２２ａに嵌入保持されているゴム製の緩衝体３とを備える。
【００２８】
保持体２は可撓性の低い合成樹脂材により略柱形に成形され、取付部２１及び保持部２２の間に、取付部２１が嵌入される嵌入方向と交差する方向へ延出され、取付部２１の嵌入位置を規制する規制片２３が一体に設けられている。
【００２９】
取付部２１は、板状の基部２１ａ、及び該基部２１ａの先端に連なり、孔１１の縁部に係止される二つの爪部２１ｂを有し、該爪部２１ｂを若干撓ませた状態で取付部２１が孔１１に嵌入され、爪部２１ｂが孔１１から抜け出たとき、該爪部２１ｂが弾性復元し、爪部２１ｂの先端が孔１１の縁部に係止されるように構成されている。
【００３０】
保持部２２は筒形をなし、内側に嵌入孔２２ａが開設されている。規制片２３は可撓性を有し、先部が取付部２１側へ偏倚している。
【００３１】
緩衝体３は円柱形をなし、他端側が保持部２２の外部に配されている。緩衝体３はゴム製である他、可撓性を有する合成樹脂材であってもよいし、また、可撓性を有する難燃材であってもよい。また、緩衝体３の周面及び嵌入孔２２ａの周面の一方に抜止凸部を設け、該抜止凸部に係合する抜止凹部を他方に設けて緩衝体３の抜出し方向への位置ずれを防止する構成としてもよい。
【００３２】
以上のように構成された緩衝具Ａは、テレビジョン等の液晶の表示装置が備える光源装置Ｂに装着される。
図４は表示装置の構成を示す横断平面図である。
【００３３】
この表示装置はテレビ画像を表示する表示面を前側に有し、略直方体をなす表示部としての液晶の表示パネル４と、該表示パネル４の後側に配され、側面から入光した光を一面から出光して表示パネル４を照射する導光板５と、該導光板５の前記側面に対向する光源としての複数の発光素子６と、導光板５及び発光素子６を支持する支持体７と、該支持体７の後側に装着された電源回路基板等の複数の回路基板１と、該回路基板１及び支持体７の後側を隠蔽するカバー８とを備え、回路基板１に緩衝具Ａが取付けられている液晶テレビジョン、換言すれば液晶表示装置である。
【００３４】
表示パネル４は前面及び後面に偏光板が接合されており、表示パネル４の四辺側に配された杆部材により厚さ方向に押付けられ、複数本の雄螺子にて支持体７に保持されている。
【００３５】
導光板５はアクリル樹脂、ポリカーボネート樹脂等の合成樹脂製であり、略直方形に形成されており、導光板５及び支持体７の間に光反射板１０が配され、導光板５及び表示パネル４の間に複数枚の光学シート２０が配されている。
【００３６】
支持体７は、金属板を略直方形に成形することにより全体が板部になっており、中央側には後方へ突出する複数の基板受部７１が一体に設けられ、周縁側には後方へ突出し、円錐台形をなす複数の結合凸部７２が一体に設けられている。また、基板受部７１には取付孔７３が開設され、結合凸部７２には貫通孔７４が開設され、取付孔７３に螺入される雄螺子９により回路基板１が支持体７の後側に装着されている。
【００３７】
回路基板１は、一面にトランス等の複数の電子部品が実装されている。回路基板１の周縁部には、基板取付用の複数の挿通孔１２が開設されており、トランス等の振動発生源となり易い電子部品の近傍には、緩衝具取付用の複数の孔１１が開設されている。挿通孔１２には雄螺子９が挿通され、該雄螺子９が、基板受部７１の取付孔７３に螺入されることにより、回路基板１が支持体７に取付けられる。孔１１には緩衝具Ａの取付部２１が嵌入され、規制片２３が回路基板１の一面に押付けられた状態で爪部２１ｂが孔１１の縁周りに係止され、ガタ付き及び位置ずれなく緩衝具Ａが取付けられる。
【００３８】
支持体７の前面の四角部には略Ｌ字形をなす角部材が固定され、該角部材よりも内側の前面に、表示パネル４よりも若干大形の光反射板１０、導光板５及び光学シート２０が載置されている。支持体７の前面の四辺側には、複数の発光素子６が一面に実装された発光素子基板３０が配されている。
【００３９】
発光素子基板３０は短冊形をなし、長手方向に沿って発光素子６が並置され、発光素子基板３０の他面に杆状の放熱体４０が結合され、該放熱体４０を介して発光素子基板３０が支持体７に固定され、発光素子６が導光板５の四辺側の側面に対向している。
【００４０】
カバー８は、薄肉の金属板を略直方形の深皿形に成形してなり、周縁の口部よりも中央側の結合凸部７２と対向する位置に、支持体７に向けて前方へ突出し、結合凸部７２の先端に接触する複数の筒形ボス８１が一体成形され、該筒形ボス８１から結合凸部７１の貫通孔７４に螺入される雄螺子４１にて支持体７に結合され、緩衝具Ａにおける緩衝体３の端部がカバー８の内面に接触し、回路基板１とカバー８内面との間の離隔寸法が保たれるようになしてある。離隔寸法は、回路基板１に実装されている電子部品にカバーが接触しない約２０mmである。
【００４１】
以上のように構成された表示装置は、発光素子６、導光板５、回路基板１、光反射板１０及びカバー８にてエッジライト方式の光源装置Ｂが構成され、該光源装置Ｂ、光学シート２０及び表示パネル４にてパネルモジュールが構成され、該パネルモジュールにおける支持体７の結合凸部７２にカバー８が雄螺子４１にて結合され、該カバー８がパネルモジュールの後側を覆う。パネルモジュールにおける表示パネル４の前側には外装体としての透光パネル４２が貼付られ、該透光パネル４２の周縁部にカバー８の口部が対接し、防塵される。
【００４２】
カバー８は薄肉の金属板製であり、該カバー８が支持体７の結合凸部７２に結合されるため、全体の前後厚さが薄くなるように薄型化を図ることができる。カバー８の内面には、光源装置の回路基板１に取付けられた緩衝具Ａの緩衝体３が接触しているため、回路基板１に実装されているトランスが作動するとき、回路基板１及び該回路基板１と対向するカバー８が振動するのを緩衝体３により抑制することができ、この振動による音鳴りをなくすることができる。また、回路基板１に取付けられた緩衝具Ａの緩衝体３がカバー８の内面に接触し、回路基板１及びカバー８の離隔寸法が保たれているため、換言すると緩衝具Ａがスペーサを兼ねているため、薄肉金属板製のカバー８が外部から叩かれたりすることがあっても、回路基板１に実装されている部品にカバー８が当接するのを回避することができる。
【００４３】
緩衝具Ａは、回路基板１に開設されている孔１１に取付部２１を嵌入することにより爪部２１ｂが孔１１の縁周りに係止されるため、取付位置のずれをなくすることができ、長期間に亘って振動による音鳴りをなくすることができ、また、孔１１への嵌入作業により簡易に取付けることができる。また、スペーサを兼ねる緩衝具Ａは回路基板１及びカバー８の離隔寸法を保つことができる程度の比較的小形に形成されているため、比較的安価に得ることができる。
【００４４】
実施の形態２
図５は緩衝具Ａの他の構成を示す正面図、図６は緩衝具Ａの使用状態を示す断面図である。この緩衝具Ａは、筒形の保持部２２に代えて、柱形をなす保持部２４とし、該保持部２４に嵌入される嵌入孔３１が開設されているゴム製の緩衝体３を保持部２４に嵌入保持したものである。
【００４５】
保持部２４の先部には外向きに突出する鍔部２４ａが設けられ、保持部２４が嵌入孔３１に嵌入されるとき、緩衝体３の嵌入孔３１周りを鍔部２４ａが拡げつつ嵌入され、嵌入後の弾性復元力にて保持力が高くなるように構成されている。尚、鍔部２４ａは緩衝体３の抜出し方向への位置ずれを防止する抜止部を構成している。
【００４６】
緩衝体３は円柱形又は角柱形に形成され、一面に有底の嵌入孔３１が開設されている。
その他の構成及び作用は実施の形態１と同様であるため、同様の部品については同じ符号を付し、その詳細な説明及び作用効果の説明を省略する。
【００４７】
実施の形態３
図７は緩衝具Ａの他の構成を示す正面図、図８は緩衝具Ａの使用状態を示す断面図である。この緩衝具Ａは、筒形の保持部２２に代えて、略凹形をなす保持部２５とし、該保持部２５に、略直方体に形成されたゴム製の緩衝体３を嵌入保持したものである。
【００４８】
保持部２５は、取付部２１が孔１１に嵌入される方向と交差する方向へ離隔して対向する二つの保持片２５ａ，２５ａ及び各保持片２５ａ，２５ａを取付部２１に連結する連結部２５ｂを有し、取付部２１と一体に成形されている。
【００４９】
緩衝体３は、保持部２５に嵌入されるとき、撓みつつ嵌入され、嵌入後の弾性復元力にて保持力が高くなるように構成されている。
尚、保持片２５ａ，２５ａの先端には内向きに突出する抜止凸部を設け、該抜止凸部に係合する抜止凹部を緩衝体の側部に設けて緩衝体３の抜出し方向への位置ずれを防止する構成としてもよい。
その他の構成及び作用は実施の形態１と同様であるため、同様の部品については同じ符号を付し、その詳細な説明及び作用効果の説明を省略する。
【００５０】
実施の形態４
図９は緩衝具Ａの他の構成を示す正面図、図１０は緩衝具Ａの使用状態を示す断面図である。この緩衝具Ａは、筒形の保持部２２に代えて、柱形をなす保持部２４とし、規制片２３をなくして、保持部２４に嵌入される嵌入孔３１が開設されているゴム製の緩衝体３を保持部２４に嵌入保持したものである。
【００５１】
保持部２４の先部には外向きに突出する鍔部２４ａが設けられ、保持部２４が嵌入孔３１に嵌入されるとき、緩衝体３の嵌入孔３１周りを鍔部２４ａが拡げつつ嵌入され、嵌入後の弾性復元力にて保持力が高くなるように構成されている。尚、鍔部２４ａは緩衝体３の抜出し方向への位置ずれを防止する抜止部を構成している。
【００５２】
緩衝体３は円柱形又は角柱形に形成され、一面に有底の嵌入孔３１が開設され、嵌入孔３１の縁周りが取付部２１側へ弧状に偏倚している。
その他の構成及び作用は実施の形態１、２と同様であるため、同様の部品については同じ符号を付し、その詳細な説明及び作用効果の説明を省略する。
【００５３】
実施の形態５
図１１は保持体２の他の構成を示す縦断正面図、図１２は保持体２の他の構成を示す側面図、図１３は緩衝体３の他の構成を示す斜視図、図１４は緩衝具Ａの他の構成を示す側面図、図１５は緩衝具Ａの使用状態を示す断面図である。この緩衝具Ａは、取付部２１が孔１１に嵌入される嵌入方向へ緩衝体３が嵌合される代わりに、前記嵌入方向と交差する方向へ緩衝体３ａを嵌合し、該緩衝体３ａが前記嵌入方向に位置ずれ、換言する緩衝方向に位置ずれするのを防ぐように構成したものである。
【００５４】
保持体２は、前記嵌入方向と交差する方向の中心軸を有する四角筒形の保持部２６と、該保持部２６の一辺部２６ａから前記嵌入方向へ延出された板状の基部２７ａと、該基部２７ａの先端から保持部２６側へ末広がりに延出され、孔１１の縁部に係止される可撓の二つの爪部２７ｂ，２７ｂと、該爪部２７ｂ，２７ｂの先端からさらに保持部２６側へ延出され、延出方向の中途から基部２７ａと離隔する方向へ屈曲する二つの中継部２７ｃ，２７ｃと、該中継部２７ｃ，２７ｃの先端から前記爪部２７ｂ，２７ｂと反対方向へ延出され、保持部２６の一辺部２６ａに連なる対向辺部２６ｂ，２６ｃの外側に配された二つの被摘み部２８，２８と、中継部２７ｃ，２７ｃの中途から爪部２７ｂ，２７ｂ側へ末広がりに延出され、爪部２７ｂ，２７ｂの嵌入位置を規制する規制片２９，２９とが合成樹脂材にて一体に成形され、二つの被摘み部２８，２８を摘むことにより爪部２７ｂ，２７ｂを基部２７ａ側へ偏倚させることができるように構成されている。尚、基部２７ａ及び爪部２７ｂが取付部２７を構成している。
【００５５】
四角筒形の保持部２６は、一方の対向辺部２６ｂ及び他辺部２６ｄの境界部で分断され、他方の対向辺部２６ｃ及び他辺部２６ｄの境界部に他の部分より薄肉のヒンジ２６ｅがあり、該ヒンジ２６ｅを支点として揺動可能な可動部２６ｆが形成されている。
【００５６】
他辺部２６ｄの分断された端部、換言すると可動部２６ｆの先端には略Ｕ字形をなす可撓の係止爪２６ｇが設けられ、一方の対向辺部２６ｂの分断された端部には、係止爪２６ｇが係合する係合孔２６ｈを有する筒部２６ｊが設けられ、係止爪２６ｇが係合孔２６ｈに挿入されることにより、該係止爪２６ｇが係合孔２６ｈの縁部に係止されるように構成されている。尚、係止爪２６ｇ及び係合孔２６ｈが揺動止部を構成している。
【００５７】
緩衝体３ａは、四角筒形の保持部２６内に嵌合され、角柱形をなす嵌合軸部３２及び該嵌合軸部３２の両端から保持部２６の外側面より外方へ延出され、角柱形をなす二つの可撓部３３，３３を有する略コ字形をなし、ゴム等の可撓性を有する材料にて形成されている。尚、可撓部３３，３３が抜止部を構成している。
【００５８】
この実施の形態にあっては、略Ｕ字形をなす係止爪２６ｇが係合孔２６ｈに挿入されるとき、該係止爪２６ｇが撓みつつ係合孔２６ｈに挿入され、係止爪２６ｇの弾性復元にて係合孔２６ｈの縁部に係止され、可動部２６ｆの揺動が防止される。また、係止爪２６ｇを撓ませつつ係合孔２６ｈから抜き操作を行うことにより係止が解除され、係合孔２６ｈから抜出すことができるとともに可動部２６ｆを、ヒンジ２６ｅを支点として開動方向へ揺動させることができる。よって、可動部２６ｆが開動方向へ揺動されている状態で緩衝体３ａの嵌合軸部３２を、四角筒形の保持部２６内に簡易に嵌入することができ、この後、可動部２６ｆが閉動方向へ揺動されるとともに係止爪２６ｇが係合孔２６ｈに挿入されることにより可動部２６ｆの揺動が防止される。
【００５９】
保持部２６内に嵌合保持された緩衝体３ａは、緩衝方向に位置ずれするのを可動部２６ｆにて防止されるため、嵌合量のバラツキに影響されることなく緩衝方向の長さを複数の緩衝具Ａ間で等しくすることができ、緩衝方向の長さが等しい複数の緩衝具Ａを簡易に作ることができ、また、抜出方向への位置ずれに影響されることなく緩衝方向の長さを保つことができ、適正な緩衝機能を保つことができる。
【００６０】
緩衝体３ａは略コ字形に形成され、嵌合軸部３２が保持部２６内に保持されているため、嵌合軸部３２の抜出方向への位置ずれを二つの可撓部３３，３３にて防止でき、緩衝体３ａの嵌合状態を保持することができる。
【００６１】
また、可動部２６ｆを開動方向へ揺動させることにより、緩衝体３ａの嵌合軸部３２を保持部２６内から簡易に取外すことができる。
【００６２】
緩衝具Ａの取付部２７が回路基板１の孔１１に嵌入される際、爪部２７ｂが撓むとともに、規制片２９が撓みつつ回路基板１の一面に押付けられ、爪部２７ｂが孔１１の縁周りに係止される。緩衝具Ａが取外しされる際、二つの被摘み部２８，２８が摘み操作されることにより、取付部２７の爪部２７ｂが基部２７ａ側へ偏倚し、該係部２６ｇの係止が解除されるため、緩衝具Ａを簡易に取外すことができる。また、保持部２６の対向辺部２６ｂ，２６ｃと対向する位置に配されている被摘み部２８，２８にて保持部２６の横方向への傾倒を抑制することができ、適正な緩衝機能を保つことができる。
その他の構成及び作用は実施の形態１と同様であるため、同様の部品については同じ符号を付し、その詳細な説明及び作用効果の説明を省略する。
【００６３】
実施の形態６
図１６は緩衝具Ａの他の構成を示す縦断正面図である。この緩衝具Ａは、四角形をなす環状の保持部２６の周方向の一部（他辺部２６ｄ）を欠除し、欠除部分の縁に、緩衝体３ａの嵌合軸部３２に係合して該嵌合軸部３２が可撓部３３，３３の延出方向に位置ずれするのを防止する抜止部２６ｋ，２６ｋを設けたものである。
【００６４】
抜止部２６ｋ，２６ｋは前記欠除部分の縁から内向きに突設されている。また、対向辺部２６ｂ，２６ｃは若干の可撓性を有し、抜止部２６ｋ，２６ｋに離隔方向の押圧力を加えることにより対向辺部２６ｂ，２６ｃが撓み、嵌合軸部３２を保持部２６内に嵌入することができるように構成されている。
【００６５】
この実施の形態にあっては、緩衝体３ａの嵌合軸部３２を保持部２６の欠除されている部分にあてがった状態で保持部２６の内方へ押圧することにより、保持部２６の対向辺部２６ｂ，２６ｃが離隔方向へ撓み、嵌合軸部３２を嵌入することができ、また、対向辺部２６ｂ，２６ｃの弾性復元にて抜止部２６ｋ，２６ｋが嵌合軸部３２の外面に係合し、嵌合軸部３２が可撓部３３，３３の延出方向に位置ずれ、換言すると緩衝方向に位置ずれするのを防止することができる。
【００６６】
また、保持部２６の抜止部２６ｋ，２６ｋを離隔方向に押圧することにより、対向辺部２６ｂ，２６ｃが離隔方向に撓み、嵌合軸部３２を保持部２６内から取出すことができる。
その他の構成及び作用は実施の形態１、５と同様であるため、同様の部品については同じ符号を付し、その詳細な説明及び作用効果の説明を省略する。
【００６７】
実施の形態７
図１７は緩衝具Ａの他の構成を示す縦断正面図である。この緩衝具Ａは、四角筒形の保持部２６内に嵌合される緩衝体３ａを、保持部２６内に嵌合される嵌合軸部３２及び嵌合軸部３２の一端から保持部２６の外側面より外方へ延出されている可撓部３３を有する略Ｌ字形とし、嵌合軸部３２の他端に凸状の抜止部３４を設けたものである。保持体２は実施の形態５と同様に形成されている。
【００６８】
抜止部３４は嵌合軸部３２の周方向の一部から外向きに形成され、保持部２６における可動部２６ｆの一側に係合し、嵌合軸部３２の抜出方向への位置ずれが防止され、緩衝体３ａの嵌合状態が保持される。
その他の構成及び作用は実施の形態１、５と同様であるため、同様の部品については同じ符号を付し、その詳細な説明及び作用効果の説明を省略する。
【００６９】
尚、以上説明した実施の形態では、光源装置の支持体７に装着された回路基板１に緩衝具Ａを取付け、緩衝具Ａの緩衝体３又は緩衝体３ａがカバー８の内面に接触する構成としたが、その他、カバー８に緩衝具Ａを取付け、緩衝具Ａの緩衝体３又は緩衝体３ａが回路基板１の部品が実装されている一面に接触する構成としてもよい。この場合、カバー８の一部には複数の孔が開設され、該孔に緩衝具Ａの取付部２１又は取付部２７が嵌入保持される。
【００７０】
また、緩衝具Ａの取付部２１又は取付部２７が嵌入される孔１１は丸形又は角形に形成され、嵌入方向と交差する方向へ取付部２１又は取付部２７が位置ずれしないように構成されているが、その他、孔１１は大径孔及び小径孔の周方向の一部が連なる略ダルマ形、略Ｌ字形等をなし、嵌入された取付部２１、２７を前記嵌入方向と交差する方向に摺動可能であり、摺動位置の孔縁部にて取付部２１、２７が係止される形状であってもよく、孔１１の形状は特に制限されない。
【００７１】
また、以上説明した実施の形態では、表示装置が備える光源装置に緩衝具Ａが適用されている形態について説明したが、その他、緩衝具Ａは光源装置以外に適用されてもよく、離隔して対向する二つの部材の一方に取付けられ、他方に緩衝体３が接触して振動を抑制する形態であればよい。
【００７２】
また、本発明に係る緩衝具Ａは光源装置を備える表示装置に使用される他、表示装置以外の装置に使用されてもよい。
【００７３】
また、本発明に係る表示装置は液晶テレビジョン等の液晶表示装置である他、プラズマ表示装置、ＥＬディスプレイ等の表示装置であってもよい。
【符号の説明】
【００７４】
Ａ    緩衝具
Ｂ    光源装置
１    電源回路基板（回路基板）
１１  孔
２    保持体
２１  取付部
２２、２４、２５  保持部
２２ａ  嵌入孔 
２３  規制片
２６  保持部
２６ｅ  ヒンジ
２６ｆ  可動部
２６ｇ  係止爪（揺動止部）
２６ｈ  係合孔（揺動止部）
２６ｋ  抜止部
２７  取付部
２７ａ  基部
２７ｂ  爪部
２８  被摘み部
３、３ａ  緩衝体
３２  嵌合軸部
３３  可撓部
３４  抜止部
４    表示パネル（表示部）
６    発光素子（光源）
７    支持体
８    カバー
【図１】
2011241973.tif 000003
【図２】
2011241973.tif 000004
【図３】
2011241973.tif 000005
【図４】
2011241973.tif 000006
【図５】
2011241973.tif 000007
【図６】
2011241973.tif 000008
【図７】
2011241973.tif 000009
【図８】
2011241973.tif 000010
【図９】
2011241973.tif 000011
【図１０】
2011241973.tif 000012
【図１１】
2011241973.tif 000013
【図１２】
2011241973.tif 000014
【図１３】
2011241973.tif 000015
【図１４】
2011241973.tif 000016
【図１５】
2011241973.tif 000017
【図１６】
2011241973.tif 000018
【図１７】
2011241973.tif 000019